(57)【要約】【課題】外気温が低い時でも、乾燥時間の増加や乾燥性能の低下なしに、乾燥行程時に目に見える蒸気が勢いよく大量に排気口から排出されることを抑制し、熱風感を防止した食器洗い機を提供する。【解決手段】温度検知装置１２で検知した外気温が低い時は、乾燥行程開始直後の送風ファン１０の間欠運転時間を長くするとともに、長くした送風ファン１０の間欠運転時間の差分だけ送風ファン１０の連続運転の時間を短くし、且つ、この送風ファン１０の連続運転と同時に行われるヒータ７の断続通電の通電割合を変更し、ヒータ７の断続通電中の合計通電時間を同じになるようにしたことにより、乾燥時間の増加や乾燥性能の低下なしに、送風ファン１０が連続運転に移行した直後も目に見える蒸気が勢いよく大量に排気口１１から排出されることを抑制することができる。【選択図】図１
2010148541.tif 000002
【特許請求の範囲】
【請求項１】
食器類を収納する洗浄槽と、前記洗浄槽内に配され、食器類に洗浄水を噴射して洗浄する洗浄ノズルと、前記洗浄ノズルに洗浄水を圧送する洗浄ポンプと、洗浄水の温水化及び食器類の乾燥を行うためのヒータと、乾燥運転時に前記洗浄槽内の蒸気を機外に排出するための送風ファンと、前記洗浄槽外の外気温を検知するための温度検知装置とを備え、前記温度検知装置で検知した外気温が所定の温度より低い時は、乾燥運転開始直後の前記送風ファンの間欠運転の時間を、前記温度検知装置で検知した外気温が所定の温度より高い時より長くなるよう設定するとともに、この長くしたぶんの時間と同じ時間前記送風ファンの間欠運転に引き続き行われる前記送風ファンの連続運転の時間を短くし、且つ、この前記送風ファンの連続運転と同時に行われるヒータの断続通電の通電割合を、断続通電中の合計通電時間が外気温が所定の温度より高い時と同じになるように変更するよう設定された食器洗い機。
【発明の詳細な説明】
【技術分野】
【０００１】
本発明は食器類の洗浄及び乾燥を行う食器洗い機に関するものである。
【背景技術】
【０００２】
従来、この種の食器洗い機は洗浄性能を確保するため、洗い行程時には洗浄水の温度を約６０℃に、また、乾燥性能を確保するため、乾燥行程に入る前の最終のすすぎ行程時の洗浄水の温度を約６０℃〜約８０℃になるようにしていた。
【０００３】
図３はこの種の食器洗い機を示したもので、以下その構成について説明する。洗浄槽１は上方に開口部２を有し、この開口部２を内ブタ３により開閉するとともに、内部に洗浄水を噴射する洗浄ノズル４を回転自在に設けられており、洗浄槽１内に食器類５を収納する食器かご６が配置されている。また、洗浄槽１内の洗浄水はヒータ７によって温水化され、洗浄ポンプ８にて洗浄ノズル４に圧送されて食器類５に向けて噴射し、循環することにより食器類５が洗浄される。洗浄行程が終了すると、排水ポンプ９によって洗浄水は機外に排出される。また送風ファン１０により乾燥行程時に洗浄槽１内の蒸気が排気口１１より機外に排出される。温度検知装置１２は洗浄槽１の外底部に固着され、洗浄槽１内の洗浄水の温度、外気温等を検知する。１３は制御装置でヒータ７、洗浄ポンプ８、排水ポンプ９、温度検知装置１２、送風ファン１０等の制御等を行う。
【０００４】
以上のように構成された食器洗い機について、その動作を以下に説明する。食器類５を食器かご６にセットし、洗剤を投入し運転を開始すると、所定の水位まで洗浄水が洗浄槽１内に給水される。所定水位に達すると給水が停止し、洗浄ポンプ８、ヒータ７に通電され、洗浄水は加熱されながら洗浄ノズル４から食器類５に向け噴射され、食器類５の洗浄を行う。洗浄行程が終了すると排水ポンプ９に通電され、洗浄水を機外に排出する。
【０００５】
つぎに新たに洗浄水が給水され洗浄工程と同様の動作で食器類５のすすぎが行われる。このすすぎ行程の最後には後の乾燥行程での食器類５の乾燥性能をより良くするため、高い温度の洗浄水ですすぐ最終加熱すすぎが行われる。
【０００６】
つぎにヒータ７に断続的に通電しながら送風ファン１０を運転し食器類５の乾燥が行われる。この時、乾燥運転開始直後は排出される蒸気量が多い為、一定時間送風ファン１０を間欠運転し、その後連続運転されるようになっている。ヒータ７への断続通電はこの送風ファン１０が連続運転している時のみ行われる（例えば、特許文献１参照）。
【特許文献１】特開２００１−６１７５４号公報
【発明の開示】
【発明が解決しようとする課題】
【０００７】
しかしながら、このような従来の食器洗い機では、乾燥運転において、外気温の高低にかかわらず送風ファン１０の間欠運転および連続運転の時間が一定に設定されていたため、外気温が低い時は送風ファン１０が乾燥運転開始直後の間欠運転から連続運転に移行直後に目に見える蒸気が排気口１１より勢いよく出、使用者に熱風感を与え、不安を与えるという問題を有していた。
【０００８】
本発明は、上記従来の課題を解決するもので、乾燥時間の増加や乾燥性能の低下なしに、外気温が低い時の乾燥行程時に排気口から排出される目に見える蒸気の量を大幅に減少させ、熱風感を防止し、使用者に不安を与えない食器洗い機を提供することを目的としている。
【課題を解決するための手段】
【０００９】
本発明は上記目的を達成するために、外気温を検知し、外気温が所定の温度より低い時は乾燥運転開始直後の送風ファンの間欠運転時間を外気温が所定の温度より高い時より長くするとともに、長くした送風ファンの間欠運転時間の差分だけ送風ファンの連続運転時間を短くし、且つ、この送風ファンの連続運転と同時に行われるヒータの断続通電の通電割合を変更し、ヒータの断続通電中の合計通電時間を外気温が所定の温度より高い時と同じになるようにした食器洗い機である。
【００１０】
これにより、外気温が低い時でも、乾燥時間の増加や乾燥性能の低下なしに、乾燥行程の送風ファンの間欠運転から連続運転への移行直後に排気口から排出される目に見える蒸気の量は大幅に減少し、熱風感を防止し、使用者に不安を与えないようにすることができる。
【発明の効果】
【００１１】
本発明の食器洗い機は、外気温が低い時でも、乾燥時間の増加や乾燥性能の低下なしに、乾燥行程時に目に見える蒸気が勢いよく大量に排気口から排出されることが抑制され、熱風感を防止し、使用者に不安を与えない食器洗い機を実現することができる。
【発明を実施するための最良の形態】
【００１２】
第１の発明は、食器類を収納する洗浄槽と、前記洗浄槽内に配され、食器類に洗浄水を噴射して洗浄する洗浄ノズルと、前記洗浄ノズルに洗浄水を圧送する洗浄ポンプと、洗浄水の温水化及び食器類の乾燥を行うためのヒータと、乾燥運転時に前記洗浄槽内の蒸気を機外に排出するための送風ファンと、前記洗浄槽外の外気温を検知するための温度検知装置とを備え、前記温度検知装置で検知した外気温が所定の温度より低い時は、乾燥運転開始直後の前記送風ファンの間欠運転の時間を、前記温度検知装置で検知した外気温が所定の温度より高い時より長くなるよう設定するとともに、この長くしたぶんの時間と同じ時間前記送風ファンの間欠運転に引き続き行われる前記送風ファンの連続運転の時間を短くし、且つ、この前記送風ファンの連続運転と同時に行われるヒータの断続通電の通電割合を、断続通電中の合計通電時間が外気温が所定の温度より高い時と同じになるように変更するよう設定したことにより、外気温が低い時でも乾燥行程時に目に見える蒸気が勢いよく大量に排気口から排出されることが抑制され、目標どうり乾燥時間の増加や乾燥性能の低下なしに熱風感を防止し、食器洗い機の使用者に不安を与えないようにすることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における食器洗い機の断面図、図２は、同食器洗い機の運転動作を示すチャートである。なお、上記従来例の食器洗い機と同一構成については同一符号を付してその説明を省略する。
【００１５】
以下、本発明の食器洗い機について、その動作、作用を説明する。図１、２において、食器類５を食器かご６にセットし、洗剤を投入し運転を開始すると、所定の水位まで洗浄水が洗浄槽１内に給水される。所定水位に達すると給水が停止し、洗浄ポンプ８、ヒータ７に通電され、洗浄水は加熱されながら洗浄ノズル４から食器類５に向け噴射され、食器類５の洗浄を行う。洗浄行程が終了すると排水ポンプ９に通電され、洗浄水を機外に排出する。
【００１６】
つぎに新たに洗浄水が給水され洗浄工程と同様の動作で食器類５のすすぎが行われる。このすすぎ行程の最後には後の乾燥行程での食器類５の乾燥性能をより良くするため、高い温度の洗浄水ですすぐ最終加熱すすぎが行われる。最終加熱すすぎ行程が終了すると排水ポンプ９に通電され、すすぎ水が機外に排出される。
【００１７】
つぎに送風ファン１０の間欠運転が行われ、その間欠運転にひき続きヒータ７に断続通電されながら送風ファン１０を連続運転し食器類５の乾燥が行われる。
【００１８】
この時、乾燥運転開始時に温度検知装置１２により検知された洗浄槽１外の外気温が定められた温度より低い時は、送風ファン１０の間欠運転時間ｔ１Ｌが、外気温が定められた温度より高い時の間欠運転時間ｔ１Ｈより長くなるよう設定するとともに、長くした送風ファン１０の間欠運転時間の差分ｔ１Ｌ−ｔ１Ｈだけ、間欠運転に続いて行われる送風ファン１０の連続運転時間ｔ２Ｌを、外気温が定められた温度より高い時の連続運転時間ｔ２Ｈより短くし、且つ、この送風ファン１０の連続運転と同時に行われるヒータ７の断続通電の通電割合をｔ２Ｈ／ｔ２Ｌを乗じた値に変更し、ヒータ７の断続通電中の合計通電時間Ａが外気温が定められた温度より高い時と同じになるように設定されている。これは、乾燥行程中のヒータ７からの発熱量を同じにして、乾燥性能が変わらないようにするためである。
【００１９】
そして、制御手段１４は、温度検知装置１２により検知された外気温に基づいて上記の設定に沿って送風手段１０およびヒータ７等を制御して乾燥を実行する。
【００２０】
このように、本発明の食器洗い機は、外気温が低い時は乾燥運転開始直後の送風ファン１０の間欠運転の時間を長く設定したことにより、送風ファン１０が連続運転に移行した直後も目に見える蒸気が勢いよく大量に排気口１１から排出されることはなく、なおかつ、乾燥ファン１０の間欠運転と連続運転の時間の合計を一定にするとともに、乾燥行程中のヒータ７からの発熱量を同じになるようにすることができるので、乾燥運転時間の増加や乾燥性能の低下なしに、熱風感を防止し、使用者に不安を与えない。
【００２１】
なお、温度検知装置１２は、本実施の形態では、洗浄槽１の外底部に固着され、洗浄槽１外の外気温の検知と洗浄槽１内の洗浄水の温度検知とを兼ねる構成としたが、洗浄槽１内の洗浄水の温度検知装置とは別に独立して設けてもよく、また、食器洗い機本体外の外気温を検知する位置に設けてもよい。
【産業上の利用可能性】
【００２２】
以上のように、本発明にかかる食器洗い機は、外気温が低い時でも、乾燥時間の増加や乾燥性能の低下なしに、乾燥行程時に目に見える蒸気が勢いよく大量に排気口から排出されることが抑制され、熱風感を防止し、使用者に不安を与えないので、乾燥機能を有する食器洗い機等として有用である。
【図面の簡単な説明】
【００２３】
【図１】本発明の実施の形態１の食器洗い機の側断面図
【図２】同食器洗い機の運転動作を示すチャート
【図３】従来の食器洗い機の側断面図
【符号の説明】
【００２４】
１  洗浄槽
４  洗浄ノズル
５  食器類
７  ヒータ
８  洗浄ポンプ
１０  送風ファン
１１  排気口
１２  温度検知装置
１４  制御手段
Ａ  ヒータの合計通電時間
ｔ１Ｈ、ｔ１Ｌ  送風ファンの間欠運転時間
ｔ２Ｈ、ｔ２Ｌ  送風ファンの連続運転時間
【図１】
2010148541.tif 000003
【図２】
2010148541.tif 000004
【図３】
2010148541.tif 000005